(57)【特許請求の範囲】
【請求項１】
プラスチック製であって歯列矯正用マウスピースを収容する横断面がＵ字形の収容部(1a)を有する収容部本体(１)の後端にヒンジ部(２)を介して開閉可能に蓋部(３)が設けられている包装容器本体(Ａ)と、収納される歯列矯正用マウスピースの製品情報が記載されている紙，樹脂又は厚紙製であって該包装容器本体(Ａ)を封緘するためのラベル(Ｂ)とから成る歯列矯正用マウスピース用包装容器であって、
前記収容部本体(１)は、前記収容部(1a)の周囲に設けられており該収容部(1a)と合わせて前記蓋部(３)と同形状の平面状を成す第１フランジ部(1b)と、該第１フランジ部(1b)の左右の側端から該蓋部(３)の厚さと同一の高さを有する段部(1c，1c)を介して立ち上がり該各段部(1c，1c)の上端から各々が外方向に延設されている第２フランジ部(1d，1d)とから成り、
前記収容部本体(１)の第１フランジ部(1b)の中央前部には係合凹部(1ba)が形成されていると共に、前記蓋部(３)の閉蓋時に該第１フランジ部(1b)の係合凹部(1ba)と対応する位置には該係合凹部(1ba)と係合する係合凸部(3a)が形成されていて、
前記ラベル(Ｂ)は、前記包装容器本体(Ａ)の上面を構成する前記蓋部(３)の上面及び前記各第２フランジ部(1d，1d)の上面に接着されて該包装容器本体(Ａ)を封緘し、且つ該蓋部(３)と該各第２フランジ部(1d，1d)との各々の境界線に沿うように形成されている切り込み線(Ba，Ba)を切り離して開封される構成を有していることを特徴とする歯列矯正用マウスピース用包装容器(Ｘ)。
【請求項２】
蓋部(３)には、ヒンジ部側と反対側の端から突出する把持部(3b)が形成されている請求項１に記載の歯列矯正用マウスピース用包装容器(Ｘ)。
【発明の詳細な説明】
【技術分野】
【０００１】
本発明は、歯列矯正用マウスピースを包装する歯列矯正用マウスピース用包装容器に関するものである。
【背景技術】
【０００２】
歯列矯正分野では、従来より歯牙の表面又は裏面にブラケットを装着し、このブラケットのワイヤースロットにアーチワイヤーを挿通して連結し、アーチワイヤーの弾性復元力を利用して歯並びや噛み合せを矯正する治療が行われてきた。
【０００３】
近年、このようなブラケットやアーチワイヤーを用いた矯正治療の他に、着脱可能な透明の歯列矯正用マウスピースを用いた矯正治療も行われるようになってきている。この矯正治療は、患者の歯列の状況に応じて形状を少しずつ変えた歯列矯正用マウスピースを２週間から１ヶ月程度の期間毎に新たな歯列矯正用マウスピースを作製して患者に送り交換することによって、それぞれの歯列矯正用マウスピースの弾性復元力を利用して少しずつ歯並びや噛み合せを矯正する手法であり、ブラケットやワイヤーを用いずに透明なマウスピースを装着することから、目立たないように治療することができ、また着脱が容易であることから、食事や歯の清掃を行う際等に取り外すことができるメリットがあり、歯を抜かなくても済むような比較的簡単な症例に多く用いられている。
【０００４】
このような矯正治療で用いられる歯列矯正用マウスピースは、従来では例えば図６に示すような歯列矯正用マウスピースを封緘する封緘部Yaを有するポリエチレン等を素材とした歯列矯正用マウスピース用包装袋Ｙや、図７に示すような歯列矯正用マウスピースを収容する横断面がＵ字形の収容部Zaaを有するプラスチック製の包装容器本体Zaと、その収容部開口を封止する封止シールZbとから成る歯列矯正用マウスピース用包装容器Ｚによって包装されていた。しかしながら、歯列矯正用マウスピース用包装袋Ｙによって歯列矯正用マウスピースを包装した場合は、外部からの衝撃に弱いため、歯列矯正用マウスピースの保護が不十分で搬送時に破損する虞があった。これに対して、歯列矯正用マウスピースを収容する横断面がＵ字形の収容部Zaaを有するプラスチック製の包装容器本体Zaと、その収容部開口を封止する封止シールZbとから成る歯列矯正用マウスピース用包装容器Ｚによって歯列矯正用マウスピースを包装した場合は、プラスチック製の包装容器本体Zaの収容部Zaaに歯列矯正用マウスピースを収容することができるため、歯列矯正用マウスピースが搬送時に破損する危険性が低い。また、封止シールZbを剥がすことで容易に開封することもできる。しかしながら、封止シールZbは一旦開封すると再び包装容器本体Zaの収容部開口を封止することができないため、食事中や歯の清掃作業時等の歯列矯正用マウスピースを取り外す場合に備えて、歯列矯正用マウスピースを収容する収容部本体と、その収容部本体を閉鎖する蓋部と、収容部本体と蓋部とを接合するヒンジ部とから構成されているプラスチック製の保管容器を別途用意しなければならない負担がある（例えば、特許文献１参照）。また、このような保管容器を用意した場合であっても、歯列矯正用マウスピースを用いた矯正治療は通常少なくとも半年以上かかる長期間に及ぶものであるため、継続的な使用の間に保管容器の内部に汚れや細菌が付着して、容器内部が不衛生な状態になりやすいという問題があった。
【先行技術文献】
【特許文献】
【０００５】
【特許文献１】意匠登録第１１３４２１６号公報
【発明の概要】
【発明が解決しようとする課題】
【０００６】
本発明は前記の問題に鑑み、歯列矯正用マウスピースを破損させることなく安全に搬送でき、容易に開封することができ、更に開封後には保管容器としても使用することができる歯列矯正用マウスピース用包装容器を提供することを課題とする。
【課題を解決するための手段】
【０００７】
本発明者は前記課題を解決すべく鋭意研究の結果、歯列矯正用マウスピース用包装容器を、プラスチック製であって、歯列矯正用マウスピースを収容する収容部を有する収容部本体とその収容部本体の後端にヒンジ部を介して開閉可能に設けられた蓋部とから構成されている包装容器本体と、収納される歯列矯正用マウスピースの製品情報が記載されている紙，樹脂又は厚紙製であって、包装容器本体の上面に接着して封緘するラベルとから構成することによって、この歯列矯正用マウスピース用包装容器では、ラベルを包装容器本体の上面に接着して封緘した際に、歯列矯正用マウスピースをプラスチック製の包装容器本体で、具体的には収容部本体の収容部と蓋部とで包囲して収納することができ、更に収容部の横断面をＵ字形に形成することによって、収容部内で歯列矯正用マウスピースが大きく動くことを防止することもできるので、歯列矯正用マウスピースを破損させることなく搬送できることを究明したのである。
また、収納容器本体を、歯列矯正用マウスピースを収容する収容部と、その収容部の周囲に設けられていて収容部と合わせて蓋部と同形状の平面状を成す第１フランジ部と、第１フランジ部の左右の各側端に位置していて蓋部の厚さと同一の高さを有する段部の上端から各々が外方向に延設されている第２フランジ部とから構成することによって、閉蓋時に包装容器本体の上面を構成する蓋部の上面と各第２フランジ部の上面とが段差のない同一の高さの平面上に位置することができ、その上面にラベルを接着して封緘することができるので、搬送時に歯列矯正用マウスピース用包装容器の上面が押圧された場合であっても、ラベルが破れることがないことも究明したのである。更に、このように包装容器本体の上面を構成する蓋部の上面と各第２フランジ部の上面とが同一の高さの平面上に位置するので、ラベルに蓋部と各第２フランジ部との各々の境界線に沿うように切り込み線を形成することによって、その切り込み線を切り離すだけで容易に開封することができることも究明したのである。
更に、第１フランジ部の中央前部に係合凹部を形成すると共に、蓋部の閉蓋時に第１フランジ部の係合凹部と対応する位置に係合凹部と係合する係合凸部を形成することによって、開封後であっても、係合凹部と係合凸部とを係合させることによって、蓋部が不必要に開かなくなるので、歯列矯正用マウスピースの保管容器として使用することができ、そして収容される歯列矯正用マウスピースは２週間から１ヶ月程度の期間毎に新たな歯列矯正用マウスピースを作製して患者に送り交換されるものであることから、新たな歯列矯正用マウスピースが収納されていた新しい歯列矯正用マウスピース用包装容器をその歯列矯正用マウスピース専用の保管容器として使用することで衛生的な状態を確保できることも究明したのである。
【０００８】
即ち本発明は、プラスチック製であって歯列矯正用マウスピースを収容する横断面がＵ字形の収容部を有する収容部本体の後端にヒンジ部を介して開閉可能に蓋部が設けられている包装容器本体と、収納される歯列矯正用マウスピースの製品情報が記載されている紙，樹脂又は厚紙製であって該包装容器本体を封緘するためのラベルとから成る歯列矯正用マウスピース用包装容器であって、
前記収容部本体は、前記収容部の周囲に設けられており該収容部と合わせて前記蓋部と同形状の平面状を成す第１フランジ部と、該第１フランジ部の左右の側端から該蓋部の厚さと同一の高さを有する段部を介して立ち上がり該各段部の上端から各々が外方向に延設されている第２フランジ部とから成り、
前記収容部本体の第１フランジ部の中央前部には係合凹部が形成されていると共に、前記蓋部の閉蓋時に該第１フランジ部の係合凹部と対応する位置には該係合凹部と係合する係合凸部が形成されていて、
前記ラベルは、前記包装容器本体の上面を構成する前記蓋部の上面及び前記各第２フランジ部の上面に接着されて該包装容器本体を封緘し、且つ該蓋部と該各第２フランジ部との各々の境界線に沿うように形成されている切り込み線を切り離して開封される構成を有していることを特徴とする歯列矯正用マウスピース用包装容器である。
【０００９】
また、蓋部には、ヒンジ部側と反対側の端から突出する把持部が形成されていると、開封作業や保管時での蓋部の開閉作業が容易となるので好ましいことも究明したのである。
【発明の効果】
【００１０】
このような本発明に係る歯列矯正用マウスピース用包装容器は、プラスチック製であって、歯列矯正用マウスピースを収容する収容部を有する収容部本体とその収容部本体の後端にヒンジ部を介して開閉可能に設けられた蓋部とから構成されている包装容器本体と、収納される歯列矯正用マウスピースの製品情報が記載されている紙，樹脂又は厚紙製であって、包装容器本体の上面に接着して封緘するラベルとから構成されているから、ラベルを包装容器本体の上面に接着して封緘した際に、歯列矯正用マウスピースをプラスチック製の包装容器本体で、具体的には収容部本体の収容部と蓋部とで包囲して収納することができ、更に収容部の横断面がＵ字形に形成されているから、収容部内で歯列矯正用マウスピースが大きく動くこともないため、歯列矯正用マウスピースを破損させずに搬送することができるのである。
また、収納容器本体が、歯列矯正用マウスピースを収容する収容部と、その収容部の周囲に設けられていて収容部と合わせて蓋部と同形状の平面状を成す第１フランジ部と、第１フランジ部の左右の各側端に位置していて蓋部の厚さと同一の高さを有する段部の上端から各々が外方向に延設されている第２フランジ部とから構成されているから、閉蓋時に包装容器本体の上面を構成する蓋部の上面と各第２フランジ部の上面とが段差のない同一の高さの平面上に位置することができ、その上面にラベルを接着して封緘することができるため、搬送時に歯列矯正用マウスピース用包装容器の上面が押圧された場合であっても、ラベルが破れることもないのである。更に、このように包装容器本体の上面を構成する蓋部の上面と各第２フランジ部の上面とが同一の高さの平面上に位置するため、ラベルに蓋部と各第２フランジ部との各々の境界線に沿うように切り込み線を形成することによって、その切り込み線を切り離すだけで容易に開封することができるのである。
更に、第１フランジ部の中央前部に係合凹部を形成すると共に、蓋部の閉蓋時に第１フランジ部の係合凹部と対応する位置に係合凹部と係合する係合凸部を形成してあるから、開封後であっても、係合凹部と係合凸部とを係合させることによって、蓋部が不必要に開くことがなくなるため、歯列矯正用マウスピースの保管容器として使用することができるのである。そして、収容される歯列矯正用マウスピース専用の保管容器として使用することで衛生的な状態を確保することもできるのである。
【００１１】
また、蓋部に、ヒンジ部側と反対側の端から突出する把持部を形成すると、開封作業や保管時での蓋部の開閉作業が容易となるので好ましいのである。
【図面の簡単な説明】
【００１２】
【図１】本発明に係る歯列矯正用マウスピース用包装容器の一実施例を示す斜視図である。
【図２】図１のＬ−Ｌ線拡大断面図である。
【図３】図１の歯列矯正用マウスピース用包装容器が開封されて蓋部が開かれた状態を示す斜視参考図である。
【図４】図３の歯列矯正用マウスピース用包装容器の使用状態を示す斜視参考図である。
【図５】包装容器本体の一実施例を示す斜視図である。
【図６】上部開口に封緘部を有するポリエチレン等を素材とした従来技術に係る包装袋の一例を示す斜視図である。
【図７】歯列矯正用マウスピースを収容する収容部を有するプラスチック製の包装容器本体とその収容部を封止する封止シールとから構成されている従来技術に係る包装容器が一部開封されている状態を示す斜視参考図である。
【発明を実施するための形態】
【００１３】
図面中、Ｘは本発明に係る歯列矯正用マウスピース用包装容器であり、基体となる包装容器本体Ａと、この包装容器本体Ａの上面に接着して封緘するラベルＢとから構成されている。
【００１４】
包装容器本体Ａは、図３及び４で示すように、歯列矯正用マウスピースを収容する収容部本体１と、この収納部本体１の後端にヒンジ部２を介して開閉可能に設けられている蓋部３とから構成されている。この包装容器本体Ａは、例えばポリスチレン、ポリエチレン、ポリエチレンテレフタレート（ＰＥＴ）等のプラスチック材料を射出成形や圧縮成形することによって作製され、収納部本体１、ヒンジ部２及び蓋部３が一体的に成形されている。そして、この包装容器本体Ａは、透明な素材で構成されていることが好ましい。
【００１５】
収容部本体１は、歯列矯正用マウスピースを収容する収容部1aと、収容部1aの周囲に設けられている第１フランジ部1bと、第１フランジ部1bの左右の各側端に位置している段部1c，1cの上端から各々が外方向に延設されている第２フランジ部1d，1dとから構成されている。また、収容部1aの横断面がＵ字形に形成されている。更に、図２及び図５で示すように、収容部1aの開口部と第１フランジ部1bとを合わせた平面形状が蓋部３の平面形状と同一の形状に形成されていて、また各段部1c，1cの高さが蓋部３の厚さと一致するように形成されている。そのため、閉蓋時に包装容器本体Ａの上面は、段差のない同一の高さの平面上に位置する蓋部３の上面と各第２フランジ部1d，1dの上面とから構成される。更に、図２、３及び４で示すように、第１フランジ部1bの中央前部には後述する蓋部３の係合凸部3aと閉蓋時に係合する係合凹部1baが形成されている。
【００１６】
ヒンジ部２は、収納部本体１と蓋部３とを接合して蓋部３の開閉作業を自在に行うことができるものであれば、特にその構成が限定されることはないが、分断する目の細かい切り離し線から構成されていると、開閉作業時には切断され難く、廃棄する際には切り離すことができるので好ましい。
【００１７】
蓋部３は、収容部1aの開口部と第１フランジ部1bとを合わせた平面形状と同一の平面形状となるように形成されている。また、図２、３及び４で示すように、閉蓋時に第１フランジ部1bの係合凹部1baと係合する位置に係合凸部3aが形成されている。尚、この蓋部３に、ヒンジ部側と反対側の端から突出する把持部3bを形成すると、開封作業や保管時での蓋部の開閉作業が容易となるので好ましく、図１、３、４及び５で示すように、蓋部３のヒンジ部側と反対側の端の左右両隅から各々が突出するように把持部3b，3bを形成すると更に好ましい。
【００１８】
ラベルＢは、包装容器本体Ａの上面を構成し、段差のない同一の高さの平面上に位置する蓋部３の上面と各第２フランジ部1d，1dの上面とに接着して包装容器本体Ａを封緘する。また、図１及び２で示すように、蓋部３と各第２フランジ部1d，1dとの各々の境界線に沿うように切り込み線Ba，Baが形成されている。このラベルＢは、紙，樹脂又は厚紙から作製されていて、その表面に患者名、使用時期、説明文及び製品名等の収納される歯列矯正用マウスピースの製品情報が記載されている。尚、これらの情報の記載方法としては、例えばラベルＢに直接印刷する方法が考えられるが、ラベルＢの表面に表示できる方法であれば特に限定されない。
【００１９】
このような本発明に係る歯列矯正用マウスピース用包装容器Ｘでは、プラスチック製であって、歯列矯正用マウスピースを収容する収容部1aを有する収容部本体１とその収容部本体１の後端にヒンジ部２を介して開閉可能に設けられた蓋部３とから構成されている包装容器本体Ａの上面に、収納される歯列矯正用マウスピースの製品情報が記載されている紙，樹脂又は厚紙製のラベルＢを接着して封緘しているから、歯列矯正用マウスピースをプラスチック製の包装容器本体Ａに、具体的には収容部本体１の収容部1aと蓋部３とに包囲して収納することができ、更に収容部1aの横断面をＵ字形に形成しているから、収納された歯列矯正用マウスピースが収容部1a内で大きく動くこともないので、歯列矯正用マウスピースを破損させることなく搬送することができる。
また、収容部1aの開口部と第１フランジ部1bとを合わせた平面形状を蓋部３の平面形状と同一の形状に形成しているから、閉蓋時に包装容器本体Ａの上面を蓋部３の上面と各第２フランジ部1d，1dの上面とから構成することができ、更に各段部1c，1cの高さを蓋部３の厚さと一致するように形成しているから、蓋部３の上面と各第２フランジ部1d，1dの上面とが段差のない同一の高さの平面上に位置するので、押圧された場合であっても、ラベルＢが破れることがない。更に、ラベルＢに蓋部３と各第２フランジ部1d，1dとの各々の境界線に沿うように切り込み線Ba，Baを形成しているから、その切り込み線Ba，Baを切り離すだけで容易に開封することができる。
更に、第１フランジ部1bの中央前部に係合凹部1baを形成すると共に、蓋部３の閉蓋時に第１フランジ部1bの係合凹部1baと対応する位置に係合凹部1baと係合する係合凸部3aを形成しているから、開封後であっても、係合凹部1baと係合凸部3aとを係合させることによって、蓋部３が不必要に開くことがなくなるので、歯列矯正用マウスピースの保管容器として使用することができる。そして、収容される歯列矯正用マウスピース専用の保管容器として使用することで衛生的な状態を確保することもできる。
【００２０】
また、蓋部３に、ヒンジ部側と反対側の端から突出する把持部3bを形成すると、開封作業や保管時での蓋部の開閉作業が容易となるので好ましい。
【符号の説明】
【００２１】
Ｘ            歯列矯正用マウスピース用包装容器
Ａ          包装容器本体
１        収容部本体１
1a      収容部
1b      第１フランジ部
1ba   係合凹部
1c      段部
1d      第２フランジ部
２        ヒンジ部２
３        蓋部３
3a      係合凸部
3b      把持部
Ｂ          ラベル
Ba        切り込み線
Ｙ            歯列矯正用マウスピース用包装袋
Ya          封緘部
Ｚ            従来技術に係る歯列矯正用マウスピース用包装容器
Za          包装容器本体
Zaa       収容部
Zb          封止シール
【図１】
0005750059.tif 000002
【図２】
0005750059.tif 000003
【図３】
0005750059.tif 000004
【図４】
0005750059.tif 000005
【図５】
0005750059.tif 000006
【図６】
0005750059.tif 000007
【図７】
0005750059.tif 000008